(57)【特許請求の範囲】
【請求項１】
便器本体と、開閉自在な便座及び便蓋と、冷風を吹き出す冷房装置と、前記便座に用便者が着座したことを検知する着座センサと、前記便座の開閉状態を検知する便座用のセンサとを備え、前記着座センサにより便座上に用便者が着座したことが検知された時には、前記冷房装置から着座した用便者の頭部に向けて冷風を吹き付け、前記便座用のセンサにより便座が開かれたことが検知された時には、前記冷房装置から前記便器本体の前に立つ用便者の顔に向けて冷風を吹き付けるように構成したことを特徴とするトイレ用空調器。
【発明の詳細な説明】
【０００１】
【産業上の利用分野】
この発明は、トイレ用の空調装置に関するものである。
【０００２】
【従来の技術及びその課題】
従来、トイレ用冷房装置として、例えば特開平７−８４１６号に開示されたものがあり、この構成では、人体センサの検知信号により冷房装置を自動的に作動させようとするものである。また、特開平７−３２７８６９号に開示された構成では、便蓋が開かれた時に冷房装置をＯＮさせようとするものである。
しかし従来では、トイレ内の使用条件に対応させて風向きを制御できる構成のものはなかった。
【０００３】
【課題を解決するための手段】
本発明は上記従来の問題点に鑑み案出したものであって、最も快適な使用環境に制御できるトイレ用空調器を提供せんことを目的とし、その要旨は、便器本体と、開閉自在な便座及び便蓋と、冷風を吹き出す冷房装置と、前記便座に用便者が着座したことを検知する着座センサと、前記便座の開閉状態を検知する便座用のセンサとを備え、前記着座センサにより便座上に用便者が着座したことが検知された時には、前記冷房装置から着座した用便者の頭部に向けて冷風を吹き付け、前記便座用のセンサにより便座が開かれたことが検知された時には、前記冷房装置から前記便器本体の前に立つ用便者の顔に向けて冷風を吹き付けるように構成したことである。
【０００４】
【実施例】
以下、本発明の実施例を図面に基づいて説明する。
図１は、便器の透視斜視図であり、図２は、空調装置を一体状に組み付けた便器の空調装置の構成部材の概略配置図である。
【０００５】
図において、便器１の便器本体１ａ上には、開閉可能に便座２と便蓋３が設けられ、後方側にはタンクカバー１ｂが立設されて、このタンクカバー１ｂ内に洗浄水を溜める洗浄タンク４が内装され、また、洗浄タンク４の前側には制御器５が配置されており、タンクカバー１ｂの上端部位の前面側左右には吹出口ルーバー６が設けられたものとなっている。また、前記便座２及び便蓋３を自動で開閉できるように電動開閉ユニット７が設けられている。また、タンクカバー１ｂの前面には便蓋用の人体検知センサ８が設けられ、また、下部には便座用の人体検知センサ９が設けられている。さらにトイレ内の室温を検出するために室温センサ１０が付設されている。また、図２に示すように、便座２上に用便者が着座した時にこの着座状態を検出できるように静電容量式の着座センサ１１が設けられている。
【０００６】
本例では、タンクカバー１ｂ内に冷房装置が組み込まれており、冷房装置を構成する凝縮器１３が前記洗浄タンク４内に浸漬状に配置され、凝縮器１３はコンプレッサー１４を介して蒸発器１６と連通されており、蒸発器１６の後部にはファン１５が配置され、蒸発器１６の前面側に前記吹出口ルーバー６が設けられたものとなっており、吹出口ルーバー６内には上下方向，水平方向に冷風の吹出方向を変化させることのできるように、上下方向，水平方向に回動する羽状のルーバーが設けられている。
【０００７】
また、便器１の近傍のトイレの壁面等にはリモコン１７が設置されており、このリモコン１７により便器１の操作が行え、このリモコン１７には、前記冷房装置の温度とか風量，風向き等、その他、室温を表示できる表示部１８が形成され、また、前記吹出口ルーバー６の風向きを自由に設定できるように風向き設定用のスイッチ１９が設けられ、また、冷風の温度を設定できる温度設定スイッチ２０が設けられ、温度を高，中，低に切り替えることができるように構成され、また、吹出口ルーバー６から吹き出される風量を強，中，弱に切り替えることのできる風量スイッチ２１が設けられたものとなっている。
【０００８】
前記制御器５は、人体検知センサ８，９、着座センサ１１からの信号により便座２上に用便者が着座した状態等を検知して、前記室温センサ１０からの信号によるトイレ内の室温に対応させて、前記吹出口ルーバー６から吹き出される冷風の温度とか風量とか風向きを最適な条件となるように、前記吹出口ルーバー６の向きを変え、また、ファン１５の回転を変える等して制御できるように構成されている。
【０００９】
風向きを変化させるパターンとしては、例えば、人体に向けて風を吹き付けるとか、逆に人体以外の方向に向けて風を吹き付けるとか、吹出口ルーバーにより風向きを上下動させるとか、風向きを一定に固定させるとか、風向きを上下左右に定周期で変化させるとか、ランダムに風向きを変化させるとか、さらに、風向きを水平方向の吹き出しから上下方向の吹き出しに変化させる等のパターンが考えられる。
また、吹き出し温度を変化させるパターンとしては、吹き出し温度を高側，低側の何れか側へ変化させるとか、吹き出し温度をランダムに変化させるとか、吹き出し温度を定周期で高側，低側に変化させる等のパターンが考えられる。
また、吹き出し風量を変えるパターンとしては、風量を増側，減側の何れか側へ変化させるとか、定周期で風量を増減させて運転するとか、ランダムに風量を増減させる等のパターンが考えられる。
【００１０】
なお、空調器から吹き出される風向き，温度，風量は、トイレの壁面とか便器本体に設けたリモコン１７等の操作部で任意に設定可能であり、前記リモコン１７のスイッチ１９，２０，２１を使用者が操作して設定した時には、その設定条件に応じて吹出口ルーバー６の向きを変え、ファン１５の回転数を変えて制御するものである。
また、風向きとか温度とか風量は表示部１８に表示され、また室温も表示部１８に表示させることができる。
【００１１】
なお、一般的には便座２上に用便者が着座した状態で用便者の首筋に良好に冷風が当たるように風向き等が制御されるが、男性の小便時には便座上に着座することなく便座２が開かれるため、この便座２が開かれたことが電動開閉ユニット７の検知手段等により検知された時には、便器本体１ａの前に立つ男性の顔に向けて前記吹出口ルーバー６から冷気が吹き出されるように、風向きとか風量が制御される。
【００１２】
【発明の効果】
本発明は、便器本体と、開閉自在な便座及び便蓋と、冷風を吹き出す冷房装置と、前記便座に用便者が着座したことを検知する着座センサと、前記便座の開閉状態を検知する便座用のセンサとを備え、前記着座センサにより便座上に用便者が着座したことが検知された時には、前記冷房装置から着座した用便者の頭部に向けて冷風を吹き付け、前記便座用のセンサにより便座が開かれたことが検知された時には、前記冷房装置から前記便器本体の前に立つ用便者の顔に向けて冷風を吹き付けるように構成したことにより、便座上に用便者が着座した時には冷風を頭部に吹き付け、男性小便時には顔に良好に冷風を吹き付けて、用便時の快適性を向上させることができる。
【図面の簡単な説明】
【図１】  便器の透視斜視図である。
【図２】  冷房装置を組み込んだ便器の概略構成図である。
【符号の説明】
１  便器
１ｂ  タンクカバー
２  便座
３  便蓋
４  洗浄タンク
５  制御器
６  吹出口ルーバー
７  電動開閉ユニット
８，９  人体検知センサ
１０  室温センサ
１１  着座センサ
１３  凝縮器
１５  ファン
１６  蒸発器
１７  リモコン
１８  表示部
１９  風向きスイッチ
２０  温度設定スイッチ
２１  風量スイッチ
【図１】
0003817708.tif 000002
【図２】
0003817708.tif 000003